(57)【要約】【課題】蛇腹形状のブーツの分割部に突出部が存在すると、ブーツの伸縮により突出部が他の部分と干渉して偏摩耗を生じる。【解決手段】ブーツ５の分割部６を上重ね部７と下重ね部８とで構成し、上重ね部７と下重ね部８とを結合する結合手段９を複数設け、結合手段９は、上重ね部７に形成した貫通孔７ｄに下重ね部８に形成したフック８ｅを挿入し、切欠部８ｉの部分で折り曲げてフック８ｅの先端をブーツ５の内部に埋め込み、第一鍵部７ｆとフック８ｅの先端の第二鍵部８ｆとからなる係止手段１０によりフック８ｅの先端を拘束する。【選択図】　図１
2004132517.tif 000002
【特許請求の範囲】
【請求項１】
軸状の部材を囲繞する形状であって軸状の部材に着脱するための分割部を有するブーツにおいて、
前記分割部には軸方向に沿って１又は２以上の結合手段を設け、当該結合手段は分割部の一方側に形成した貫通孔と、他方側に形成されると共に当該貫通孔へ挿入されるフックとで構成し、当該フックを前記貫通孔へ挿入後に折り曲げ、当該フックの先端を係止手段を介して拘束したことを特徴とするブーツ。
【請求項２】
相互に当接する分割部の一方側と他方側とのいずれか一方には凸部を形成し、他方には当該凸部が嵌合する凹部を形成したことを特徴とする請求項１に記載のブーツ。
【請求項３】
前記フックにおける折り曲げられて内側になる部分に切欠部を形成したことを特徴とする請求項１または２に記載のブーツ。
【請求項４】
前記係止手段は、分割部の一方側に形成した第一鍵部と、前記フックの先端に形成されると共に前記第一鍵部に引っ掛ける第二鍵部とで構成したことを特徴とする請求項１または２または３に記載のブーツ。
【請求項５】
前記貫通孔の内部寸法よりも前記フックの外部寸法を小さくする一方、前記フックにおける分割部の一方側と当接する部分には凸部を形成したことを特徴とする請求項１または２または３または４に記載のブーツ。
【発明の詳細な説明】
【０００１】
【発明の属する技術分野】
本発明は周方向の１箇所に分割部を有するブーツに関し、分割部の結合・分離構造を改良したものである。
【０００２】
【従来の技術】
回転軸どうしが屈曲した状態で回転し得るように、回転軸どうしを連動連結するには、自在継手が用いられる。このように自在継手が設けられた部分には、塵埃の付着を防止するために、ゴムを蛇腹状に形成したブーツが設けられる。このブーツは、ブーツの補修・交換が容易に行なえるようにするために、周方向での１箇所に分割部が設けられる。
【０００３】
分割部を有する従来のブーツとしては、以下のようなものがある（例えば、特許文献１参照）。
【０００４】
【特許文献１】
特開平９−１３７８６４号公報（〔００１１〕〜〔００２２〕、第１図〜第５図）
前記の従来のブーツの構成を図５，図６に示す。図６（ａ）は図５のＡ−Ａ矢視図であり、図６（ｂ）は図５のＢ−Ｂ矢視図である。ブーツ１は、円周方向での１箇所に分割部２が形成されている。分割部２の構成は以下のようになっている。分割部２の右側には、帯状部１ａと帯状部１ａから突出する複数の突出部１ｂとが形成され、分割部２の左側には、突出部１ｂおよび帯状部１ａを嵌合するための凹部１ｃが内側に形成されている。このほか、結合を強固にするために、帯状部１ａには軸方向に沿って複数の貫通孔１ｄが形成され、左側の内面に形成されたフック１ｅが貫通孔１ｄに嵌めこまれている。
【０００５】
【発明が解決しようとする課題】
ところが、組み立てた状態では図６（ｂ）に示すようにフック１ｅの頭部１ｆがブーツ１の内側に突出するために、ブーツ１が伸縮する際に蛇腹を構成して対向する内周面どうしが接近・離反して頭部１ｆが内周面に衝突を繰り返し、ブーツ１が偏摩耗して破損する虞がある。一方、頭部１ｆの衝突を防止するために蛇腹を構成する山と山とのピッチを大きくしたり、山の数を減らすこともできるが、制約が伴うという問題が発生する。
【０００６】
このほか、図６（ｃ）のようにフック１ｅを貫通孔１ｄに嵌合させる際に、頭部１ｆを貫通孔１ｄに押し込むことになるために、頭部１ｆが圧縮されて変形し、押し込みが困難になって作業性が悪い。
【０００７】
そこで本発明は、斯かる課題を解決したブーツを提供することを目的とする。
【０００８】
【課題を解決するための手段】
斯かる目的を達成するための請求項１に係るブーツの構成は、軸状の部材を囲繞する形状であって軸状の部材に着脱するための分割部を有するブーツにおいて、前記分割部には軸方向に沿って１又は２以上の結合手段を設け、当該結合手段は分割部の一方側に形成した貫通孔と、他方側に形成されると共に当該貫通孔へ挿入されるフックとで構成し、当該フックを前記貫通孔へ挿入後に折り曲げ、当該フックの先端を係止手段を介して拘束したことを特徴とする。
【０００９】
斯かるブーツでは、フックの先端を係止手段を介して拘束したことから、フックの先端がブーツの外表面から突出することがなく、突出することによって生じる問題が解決される。
【００１０】
請求項２に係るブーツの構成は、相互に当接する分割部の一方側と他方側とのいずれか一方には凸部を形成し、他方には当該凸部が嵌合する凹部を形成したことを特徴とする。
【００１１】
斯かるブーツでは、凸部が凹部に嵌合するので分割部の一方側と他方側とのシール性が向上し、ブーツの内部でのグリス等の漏れがより確実に防止される。
【００１２】
請求項３に係るブーツの構成は、前記フックにおける折り曲げられて内側になる部分に切欠部を形成したことを特徴とする。
【００１３】
斯かるブーツでは、切欠部の存在によりフックの折り曲げが容易に行なわれ、ブーツの組み付け作業が容易になる。
【００１４】
請求項４に係るブーツの構成は、前記係止手段は、分割部の一方側に形成した第一鍵部と、前記フックの先端に形成されると共に前記第一鍵部に引っ掛ける第二鍵部とで構成したことを特徴とする。
【００１５】
斯かるブーツでは、第一鍵部と第二鍵部とでフックの先端を拘束して分割部が開くのを防止するので、分割部のシール性が損なわれないだけでなく、ブーツの伸縮時のがたつきが防止される。
【００１６】
請求項５に係るブーツの構成は、前記貫通孔の内部寸法よりも前記フックの外部寸法を小さくする一方、前記フックにおける分割部の一方側と当接する部分には凸部を形成したことを特徴とする。
【００１７】
斯かるブーツでは、ブーツの装着作業時には貫通孔へのフックの挿入作業が容易であるだけでなく、ブーツを装着した状態ではフックが凸部の部分で僅かに曲げられることによりフックにテンションがかかった状態となるため、フックの保持力が増大し、分割部の開きが防止される。
【００１８】
【発明の実施の形態】
以下、本発明によるブーツの実施の形態を説明する。
【００１９】
（ａ）実施の形態１
まず、実施の形態１を図１に示す。図１（ａ）はブーツの正面図、図１（ｂ）は図１（ａ）のＣ−Ｃ矢視図、図１（ｃ）は図１（ａ）のＤ−Ｄ矢視図である。
【００２０】
図のように、ゴムを蛇腹形状であって両端が開口する状態に形成したブーツ５には、軸方向に沿って３つの分割部６が設けられている。
【００２１】
分割部６の断面形状は図１（ｂ）（ｃ）に示すように円弧と直線で囲まれた形状になっている。そして、図１（ｃ）に示すように分割部６の左側（一方側）と右側（他方側）とには上重ね部７と下重ね部８とが形成され、上重ね部７と下重ね部８とを重ね合わせた状態で結合されている。上重ね部７の下面には断面が半円形の溝（凹部）７ａ，７ｂが軸心方向に沿って形成され、下重ね部８の上面には溝７ａ，７ｂに嵌まり込む断面が半円形の畝状突起（凸部）８ａ，８ｂが軸心方向に沿って形成されている。
【００２２】
図１（ａ）に示すように、上重ね部７と下重ね部８とを結合するための結合手段９が軸方向に沿って本実施例では３組設けられている。結合手段９を除いた部分には、上重ね部７と下重ね部８とを強固に嵌合させるための嵌合手段が軸方向に沿って設けられている。即ち、図１（ｃ）に示すように下重ね部８には、大径部８ｄを有する畝状突起（凸部）８ｃが形成されている。一方、上重ね部７には大径部８ｄ・畝状突起８ｃを嵌合するための溝（凹部）７ｃが形成されている。
【００２３】
前記結合手段９の構成を以下に説明する。結合手段９は、図１（ｂ），図２のように構成されている。上重ね部７における中心線上には貫通孔７ｄが形成され、当該貫通孔７ｄと対応する位置には、当該貫通孔７ｄに挿入するためのフック８ｅが、下重ね部８と一体に半径方向へ長く形成されている。このフック８ｅは、前記畝状突起８ｃと対応する位置に配置されている。前記貫通孔７ｄ・フック８ｅの幅寸法は、図１（ａ）に示すようにＷとなっている。
【００２４】
貫通孔７ｄに挿入したフック８ｅの先端近傍を、ブーツ５の外周面から突出させることなく収容する収容空間７ｅとフック８ｅの先端を拘束する係止手段１０とが設けられる。即ち、以下のようになっている。図１（ｂ）のようにフック８ｅを折り曲げて上重ね部７の上部に収容するために、図１（ｃ）と比較すればわかるように、上重ね部７における貫通孔７ｄよりも右側の上部および右先端部が幅Ｗの大きさで切り欠かれ、収容空間７ｅが形成されている。そして、係止手段１０を構成するために、上重ね部７には第一鍵部７ｆが形成され、フック８ｅの先端には第二鍵部８ｆが形成されている。
【００２５】
図２に示すように、貫通孔７ｄの内部寸法をａとしてフック８ｅの外部寸法をｂとしたときに、貫通孔７ｄへのフック８ｅの挿入を容易にするために、ａ＞ｂに設定されている。そして、フック８ｅと上重ね部７との間で遊びが生じないように、上重ね部７に側方および上方から当接する凸部８ｇ，８ｈが形成されている。また、フック８ｅを水平方向へ折り曲げやすくするために、フック８ｅの中間部には切欠部８ｉが形成され、フック８ｅの先端から切欠部８ｉまでの長さ寸法をｃとして、下重ね部８の段部からフック８ｅまでの長さをｄとすると、ｃ＝ｄに設定されている。
【００２６】
斯かるブーツの作用を説明する。図示しない自在継手を囲繞するようにしてブーツを巻き付け、図３（ａ）に示すように貫通孔７ｄにフック８ｅを挿入する。この時、ａ＞ｂに設定されているので、貫通孔７ｄへのフック８ｅの挿入は容易に行なえる。次に、畝状突起８ａ，８ｂを溝７ａ，７ｂに嵌合しすると共に図１（ｃ）の畝状突起８ｃ・大径部８ｄを溝７ｃに嵌合する。この後、図３（ｂ）に示すようにフック８ｅを切欠部８ｉの位置で略９０度折り曲げる。切欠部８ｉの存在により、この部分での折り曲げが無理なく容易に行なえる。次に、図３（ｃ）に示すようにフック８ｅの先端を押し込んで、フック８ｅの先端の第二鍵部８ｆを第一鍵部７ｆに引っ掛ける。この結果、図３（ｃ）に示すようにフック８ｅの突起８ｇ，８ｈが上重ね部７に当接し、貫通孔７ｄに対するフック８ｅの関係がａ＞ｂであるにもかかわらず、遊びのない状態となる。しかも、突起８ｇ，８ｈの位置でフック８ｅに僅かな曲がりが生じてテンションがかかることになり、フック８ｅの保持力が増大して分割部の開きが防止される。３つの結合手段についてこの結合作業を行ない、フック８ｅの先端をブーツの内部に埋め込むことにより同化させる。
【００２７】
ここで、上重ね部７と下重ね部８との結合部には、ブーツ内部に封入されるグリースの保持を確実にするために、接着剤を介在させるのが望ましい。
【００２８】
（ｂ）実施の形態２
次に、実施の形態２を図４に示す。この実施の形態は、実施の形態１において、フック８ｅの先端を曲げる方向を、図中の右側から左側に変更したものであり、そのために第一鍵部７ｆ・第二鍵部８ｆの方向が実施の形態１とは逆になっている。
【００２９】
その他の構成，作用は実施の形態１と同じなので、説明を省略する。
【００３０】
なお、ブーツの材質は、ゴムに代えて柔らかい樹脂を用いてもよい。また、結合手段を本実施の形態では３つ設けたが、１つ又は２つあるいは４つ以上でも良い。
【００３１】
【発明の効果】
以上の説明からわかるように、請求項１に係るブーツによれば貫通孔に挿入したフックを折り曲げて当該フックの先端を係止手段により拘束して結合手段を構成したので、従来のようにフックの先端がブーツの外表面から突出して他の部分に干渉し、偏摩耗を生じるようなことはない。
【図面の簡単な説明】
【図１】本発明によるブーツの実施の形態１に係り、（ａ）は正面図、（ｂ）は（ａ）のＣ−Ｃ矢視図、（ｃ）は（ａ）のＤ−Ｄ矢視図。
【図２】本発明によるブーツの実施の形態１の要部の断面図。
【図３】本発明によるブーツの実施の形態１における作用説明図。
【図４】本発明によるブーツの実施の形態２に係り、（ａ）は正面図、（ｂ）は（ａ）のＥ−Ｅ矢視図、（ｃ）は（ａ）のＦ−Ｆ矢視図。
【図５】従来のブーツの正面図。
【図６】従来のブーツに係り、（ａ）は図５のＡ−Ａ矢視図、（ｂ）は図５のＢ−Ｂ矢視図、（ｃ）は説明図。
【符号の説明】
６…分割部
７ａ〜７ｃ…溝（凹部）
７ｄ…貫通孔
７ｆ…第一鍵部
８ａ〜８ｃ…畝状突起（凸部）
８ｅ…フック
８ｆ…第二鍵部
８ｇ，８ｈ…突起
９…結合手段
１０…係止手段
【図１】
2004132517.tif 000003
【図２】
2004132517.tif 000004
【図３】
2004132517.tif 000005
【図４】
2004132517.tif 000006
【図５】
2004132517.tif 000007
【図６】
2004132517.tif 000008